(57)【要約】【課題】安全性の向上が可能な電源コードを提供する。【解決手段】複数個の栓刃１１と温度を検出する温度センサ５とを有するプラグ１と、温度センサ５によって検出された温度が所定の温度よりも高くなったときに栓刃１１から負荷への通電をオフする遮断手段とを備える。プラグ１は、各栓刃１１と温度センサ５とをそれぞれ保持した中子６と、中子６の外側に成型された合成樹脂からなる外郭７とを有し、温度センサ５は、一部が中子６から突出して外郭７に埋没している。温度センサ５を外郭７に接触させない場合に比べて、安全性の向上が可能となる。【選択図】図１
2014056678.tif 000002
【特許請求の範囲】
【請求項１】
それぞれ電源コンセントの栓刃挿入口に挿入接続される複数個の栓刃と温度を検出する温度センサとを有するプラグと、
負荷に接続される負荷接続部と、
前記温度センサによって検出された温度が所定の温度よりも高くなったときに前記栓刃から前記負荷接続部への通電をオフする遮断手段とを備え、
前記プラグは、各栓刃と前記温度センサとをそれぞれ保持した中子と、前記中子の外側に成型された合成樹脂からなる外郭とを有し、
前記温度センサは、一部が前記中子から突出して前記外郭に接触していることを特徴とする電源コード。
【発明の詳細な説明】
【技術分野】
【０００１】
本発明は、電源コードに関するものである。
【背景技術】
【０００２】
従来から、電源コンセントに接続されるプラグと、プラグの温度を検出する温度センサと、温度センサにより異常な温度上昇が検出されたときにプラグから負荷への通電を停止させる遮断手段とを備える電源コードが提供されている（例えば、特許文献１参照）。
【０００３】
この種の電源コードによれば、プラグの栓刃間が埃等で短絡することによる異常発熱が発生した場合であっても、出火に至る前に通電が停止されることで、いわゆるトラッキング火災が防止される。
【先行技術文献】
【特許文献】
【０００４】
【特許文献１】特許第４０３１０２６号公報
【発明の概要】
【発明が解決しようとする課題】
【０００５】
上記従来の電源コードにおいて、プラグは、各栓刃と温度センサとをそれぞれ保持した中子と、中子の外側に成型された合成樹脂からなる外郭とを有しており、温度センサは、中子に設けられた凹部内に嵌め込まれることで中子に保持されていた。
【０００６】
しかしながら、上記の凹部の内面と温度センサとの間に隙間が空いていた場合、温度が実際よりも低く検出されてしまい、安全性が低下する可能性があった。
【０００７】
本発明は、上記事由に鑑みて為されたものであり、その目的は、安全性の向上が可能な電源コードを提供することにある。
【課題を解決するための手段】
【０００８】
本発明は、それぞれ電源コンセントの栓刃挿入口に挿入接続される複数個の栓刃と温度を検出する温度センサとを有するプラグと、負荷に接続される負荷接続部と、前記温度センサによって検出された温度が所定の温度よりも高くなったときに前記栓刃から前記負荷接続部への通電をオフする遮断手段とを備え、前記プラグは、各栓刃と前記温度センサとをそれぞれ保持した中子と、前記中子の外側に成型された合成樹脂からなる外郭とを有し、前記温度センサは、一部が前記中子から突出して前記外郭に接触していることを特徴とする。
【発明の効果】
【０００９】
本発明によれば、温度センサが外郭に接触しない場合に比べ、安全性の向上が可能となる。
【図面の簡単な説明】
【００１０】
【図１】本発明の実施形態におけるプラグを示す、図３のＡ−Ａ断面での断面図である。
【図２】同上の概略構成を示すブロック図である。
【図３】同上のプラグを示す正面図である。
【図４】同上のプラグを示す斜視図である。
【図５】同上のプラグを示す、図１のＢ−Ｂ断面での断面図である。
【発明を実施するための形態】
【００１１】
以下、本発明を実施するための最良の形態について、図面を参照しながら説明する。
【００１２】
本実施形態の電源コードは、図２に示すように、電源コンセント（図示せず）に接続されるプラグ１と、負荷（図示せず）に接続される負荷接続部２と、プラグ１から負荷接続部２への通電をオンオフする遮断装置３とを備える。
【００１３】
負荷接続部２は、コネクタであってもよいし、負荷が有する端子構造（例えばねじ端子）に接続される電線であってもよい。
【００１４】
プラグ１は、ＪＩＳＣ８３０３に規定された２極接地極付のものであって、図３及び図４に示すように、電圧側極と接地側極との一方ずつを構成し電力の伝送に用いられる一対の栓刃１１と、接地極を構成する接地ピン１２とを有する。各栓刃１１と接地ピン１２とはそれぞれ例えば金属のような導電材料からなる。
【００１５】
各栓刃１１は、それぞれ、プラグ１と遮断装置３とを接続するケーブル４に含まれる電源線４１を介して遮断装置３に接続される。遮断装置３は、一方又は両方の栓刃１１と負荷接続部２との電気的な接続（通電）をオンオフする例えば電磁リレーのようなリレー３１と、リレー３１を駆動する駆動回路３２とを備える。
【００１６】
また、接地ピン１２は、上記のケーブル４に含まれる接地線４２を介して負荷接続部２に接続される。
【００１７】
以下、上下左右は図３を基準とし、図３の紙面手前側を前側と呼ぶ。すなわち、栓刃１１が並ぶ方向を左右方向と呼び、栓刃１１に対して接地ピン１２が位置する方向を下方向と呼び、プラグ１において各栓刃１１と接地ピン１２とが突出する方向を前方向と呼ぶ。
【００１８】
また、図５及び図６に示すように、プラグ１は、例えば合成樹脂のような絶縁材料からなり各栓刃１１と接地ピン１２とをそれぞれ保持する中子６と、中子６を封止した合成樹脂成型品からなる外郭７とを備える。中子６は、各栓刃１１と接地ピン１２とをそれぞれ例えば嵌合によって保持する中枠６０と、後側が開口した有底筒状であって底面に各栓刃１１と接地ピン１２とがそれぞれ挿通される前カバー６１とを備える。外郭７は、全体として軸方向を前後方向に向けた円柱形状であって、上下両端部においてそれぞれ前端部には凹部７１が設けられている。
【００１９】
さらに、プラグ１は温度センサ５を備える。温度センサ５は例えば、ステンレス鋼からなるケースに、温度検出素子５０（図２参照）が収納及び保持されたものである。上記の温度検出素子５０は、信号線４３を介して遮断装置３の駆動回路３２に接続されている。上記の温度検出素子５０としては、例えば、温度変化に対する抵抗値の変化が比較的に大きい素子である感温抵抗（いわゆるサーミスタ）を用いることができる。
【００２０】
駆動回路３２は、温度センサ５において温度検出素子５０により検出された温度が所定の温度よりも高くなったときにリレー３１をオフ駆動する。また、駆動回路３２は、温度センサ５において上記の温度が上記所定の温度以下であれば、リレー３１をオン状態に維持し、つまりプラグ１から負荷接続部２への通電を維持する。上記のような駆動回路３２は周知の電子回路により実現可能であるので、詳細な図示並びに説明は省略する。なお、図２では、簡単のために栓刃１１を１個のみ示している。リレー３１は、一方の栓刃１１についてのみ負荷接続部２との通電をオンオフするいわゆる片切りスイッチとしてもよいし、両方の栓刃１１について負荷接続部２との通電をオンオフするいわゆる両切りスイッチとしてもよい。また、リレー３１は、漏電や過電流が検出されたときにも通電を遮断する周知の回路遮断器の機能を備えていてもよい。
【００２１】
ここで、温度センサ５は、前ケース６１の底面（前端部）を貫通し、前端部が前ケース６１の前面よりも前方に突出して外郭７に埋没している。これにより、温度センサ５は外郭７に密着している。
【００２２】
上記構成によれば、温度センサ５が外郭７に密着しない場合に比べ、安全性の向上が可能となる。
【符号の説明】
【００２３】
１  プラグ
２  負荷接続部
３  遮断装置（遮断手段）
５  温度センサ
１１  栓刃
【図１】
2014056678.tif 000003
【図２】
2014056678.tif 000004
【図３】
2014056678.tif 000005
【図４】
2014056678.tif 000006
【図５】
2014056678.tif 000007